(57)【特許請求の範囲】
【請求項１】
所定間隔を置いて掻き板が結合された掻き板付きリンクチェーンであって、
このリンクチェーンは、所定長さに分割されていて、
分割された一方のチェーンの端部にＵ字形の第１リンク部材が、他方のチェーンの端部にＵ字形の第２リンク部材が係止されていて、これら第１，第２リンク部材の開放先端部にはピン孔が形成されており、
前記掻き板には、前記各リンク部材の開放先端部を重ねて挿通可能な第１横孔及び第２横孔と、掻き板の外面側から各横孔を貫通して延びる縦孔が形成されており、
前記第１リンク部材の開放先端部を第１，第２横孔に挿入し、掻き板の反対側から第２リンク部材の開放先端部を第１，第２横孔に第１リンク部材の開放先端部と重ね合わせた状態で挿入し、かつ、前記掻き板の縦孔内にピンを前記各リンク部材のピン孔を経て縦挿させることにより、前記各リンク部材と掻き板を結合させる掻き板付きリンクチェーン。
【請求項２】
請求項１において、前記掻き板における縦孔の外端側に、これに挿入されるピンの脱落を阻止する止めねじが設けられている掻き板付きリンクチェーン。
【請求項３】
請求項１又は２において、前記第１，第２横孔が側面視概略矩形状に形成されており、前記第１，第２リンク部材の開放先端部が平面視概略矩形状に形成されている掻き板付きリンクチェーン。
【請求項４】
所定間隔を置いて掻き板が結合された掻き板付きリンクチェーンのジョイントであって、
Ｕ字形の第１リンク部材と、Ｕ字形の第２リンク部材と、掻き板とからなり、
前記第１，第２リンク部材の開放先端部に、開放先端を結ぶ方向のピン孔が形成され、
前記掻き板には、前記各リンク部材の開放先端部を重ねて挿通可能な第１横孔及び第２横孔と、掻き板の外面側から第１、第２横孔を貫通して延びる１つの縦孔が形成され、
前記第１リンク部材の開放先端部を第１，第２横孔に挿入し、掻き板の反対側から第２リンク部材の開放先端部を第１，第２横孔に第１リンク部材の開放先端部と重ね合わせた状態で挿入自在とし、しかも、前記掻き板の縦孔内にピンを前記第１、第２リンク部材のピン孔を経て縦挿させることにより、前記各リンク部材と掻き板を結合可能とした掻き板付きリンクチェーンのジョイント。
【発明の詳細な説明】
【０００１】
【発明の属する技術分野】
本発明は、例えば石炭や焼却灰或いは汚泥等を掻き寄せながら搬出する搬出コンベアなどに使用される掻き板付きリンクチェーン及びそのジョイントに関するものである。
【０００２】
【従来の技術】
一般に、製鋼所などにおいては、側溝に掻き板付きリンクチェーンを備えた搬出コンベアを配置して、その掻き板付きリンクチェーンを回行させることにより、側溝内に溜った汚泥等の滞積物を掻き板で掻き寄せながら集積場まで搬出し、乾燥後に産業廃棄物として処理するようにしている。
【０００３】
以上のように使用される従来の掻き板付きリンクチェーンは、図６及び図７に示すように、１本の長尺なチェーンＡを用い、これに円盤状の掻き板Ｂを溶接手段により一体に結合させている。
【０００４】
具体的に説明すると、前記掻き板Ｂの径方向外端から中心部よりやや外部位置にかけて、前記チェーンＡの１つの環体Ａ１を横向き状態で挿通させるための第１溝Ｂ１を形成すると共に、前記掻き板Ｂの中心部には、第１溝Ｂ１と直交状に設けられて、前記チェーンＡの別の環体Ａ２を縦向き状態で挿通させるための第２溝Ｂ２を形成する。そして、図６の矢印ａに示すように、前記第１溝Ｂ１にチェーンＡの環体Ａ１を横向き状態で挿通させた後、同図の矢印ｂに示すように、チェーンＡを長さ方向に移動させながら、第１溝Ｂ１に挿入した環体Ａ１に隣接する別の環体Ａ２を前記第２溝Ｂ２に縦向き状態に挿入させる。この後、前記第１溝Ｂ１に棒状の止め金Ｃを挿入する。次に、図７に示すように、前記第２溝Ｂ２に挿入した環体Ａ２と第２溝Ｂ２の回りを溶接Ｄする。また、前記第１溝Ｂ１に挿入された止め金Ｃと第１溝Ｂ１の回りを溶接Ｄする。このようにして、長尺なチェーンＡに掻き板Ｂを一体に結合させる。
【０００５】
【発明が解決しようとする課題】
しかし、以上のリンクチェーンによれば、次のような問題があった。前記リンクチェーンは、１本の長尺なチェーンＡに掻き板Ｂを溶接手段により一体に結合しているので、掻き板Ｂが摩耗したとき、この掻き板Ｂのみの取替え作業は簡単には行うことができない。そこで、掻き板Ｂが摩耗した場合、リンクチェーンの全体を交換するようにしているが、ランニングコストが高くなり、また資源無駄が大きくなる。特に、リンクチェーンにより側溝内に溜った滞積物を搬出するとき、前記掻き板Ｂは、側溝や滞積物により大きな摩擦抵抗を受けて摩耗し易いのに対し、前記チェーンＡは摩擦抵抗を殆ど受けることなく破損し難い。このように、前記チェーンＡが十分使用可能な状態でも、前記掻き板Ｂが摩耗したときには、リンクチェーンの全体を交換する必要があるので、ランニングコストが高くなる。
【０００６】
また、前記掻き板付きリンクチェーンに使用するチェーンＡは、強度を強化するために予め熱処理（焼入れ，焼戻し処理）を行っているが、以上のように掻き板Ｂを熱処理されたチェーンＡに溶接手段で組付けると、このチェーンＡの溶接部分の強度が低下し、ひいてはチェーンＡに対する掻き板Ｂの結合強度が低下する。さらに製鋼所などでは、約２０ｍ程度の長さとしたリンクチェーンが用いられるが、このような長尺なものを１本のチェーンＡで形成する場合、このチェーンＡの重量が非常に重くなるので、例えば熱処理を行う場合やチェーンＡに掻き板Ｂを組付ける場合の取り扱いに重労働を必要とし、作業性が悪くなるだけではなく、生産性も悪くなる。その上、リンクチェーン全体の重量も非常に重くなり、通常の場合は約３５０Ｋｇに達するので、このように重量大のものを製鋼所の側溝などに配置する搬出コンベアにセットしたりリセットするときにも、重労働を要して取り扱い作業性が悪くなる。
【０００７】
以上のような問題を解決するために、本発明は、次のような掻き板付きのリンクチェーンのジョイントを考えた。つまり、図８及び図９に示すように、リンクチェーンに用いるチェーンＡとして、所定長さに分割されたものを使用し、この分割された一方のチェーン１Ａの端部にＵ字形の第１シャックルＥ１を、他方のチェーン２Ａの端部にＵ字形の第２シャックルＥ２をそれぞれ係止させる。そして、これら第１，第２シャックルＥ１，Ｅ２の間に掻き板Ｂを介在させた状態で、各シャックルＥ１，Ｅ２の間に２つのボルトＦ，Ｆを挿入して、その挿入端部にナットＧ，Ｇを螺締する。このように前記各シャックルＥ１，Ｅ２を介して分割されたチェーン１Ａ，２Ａに掻き板Ｂを一体に結合し、つまり掻き板Ｂを介して各分割チェーン１Ａ，２Ａを長尺に連結させる。
【０００８】
以上のリンクチェーンのジョイントでは、掻き板Ｂが摩耗した場合、前記各シャックルＥ１，Ｅ２を取外して掻き板Ｂだけを交換すればよいので、ランニングコストを下げることができ、また、前記チェーンＡを熱処理（焼入れ，焼戻し処理）するときや搬出コンベアにセットしたりリセットするときの取り扱い作業性を良好にできる。しかし、以上の構成では、リンクチェーンの使用時に、前記各シャックルＥ１，Ｅ２の間に掻き板Ｂを介在させた状態で挿入する各ボルトＦのねじ部分に大きな引張荷重が繰り返し作用するので、疲労破壊が発生して、長期使用には耐えられないことが判明した。なお、前記疲労破壊の発生を低減させるために、前記各ボルトＦとして径大のものを使用することも考えられたが、このようにする場合は、各ボルトＦを径大とすることに伴い前記掻き板Ｂに大きいボルト挿入孔を形成する必要があり、この掻き板Ｂの強度低下を招くこととなるので、採用できなかった。
【０００９】
そこで、本発明は、掻き板が摩耗したとき、この掻き板だけを交換することにより、資源無駄を少なくしてランニングコストを下げることができ、また、チェーンを熱処理（焼入れ，焼戻し処理）するときや搬出コンベアにセットしたりリセットするときの取り扱い作業性を良好にでき、しかも、大きな引張荷重が繰り返し作用しても、長期使用に耐えることができる掻き板付きリンクチェーンを提供することにある。
【００１０】
【課題を解決するための手段】
上記目的を達成するため、本発明リンクチェンは、所定間隔を置いて掻き板が結合された掻き板付きリンクチェーンであって、このリンクチェーンは、所定長さに分割されていて、分割された一方のチェーンの端部にＵ字形の第１リンク部材が、他方のチェーンの端部にＵ字形の第２リンク部材が係止されていて、これら第１，第２リンク部材の開放先端部にはピン孔が形成されており、前記掻き板には、前記各リンク部材の開放先端部を重ねて挿通可能な第１及び第２横孔と、掻き板の外面側から各横孔を貫通して延びる縦孔が形成されており、前記第１リンク部材の開放先端部を第１，第２横孔に挿入し、掻き板の反対側から第２リンク部材の開放先端部を第１，第２横孔に第１リンク部材の開放先端部と重ね合わせた状態で挿入し、また、前記掻き板の縦孔内にピンを前記各リンク部材のピン孔を経て縦挿させることにより、前記各リンク部材と掻き板を結合させることを特徴とする。
【００１１】
そして本発明のリンクチェンのジョイントは、所定間隔を置いて掻き板が結合された掻き板付きリンクチェーンのジョイントであって、Ｕ字形の第１リンク部材と、Ｕ字形の第２リンク部材と、掻き板とからなり、前記第１，第２リンク部材の開放先端部に、開放先端を結ぶ方向のピン孔が形成され、前記掻き板には、前記各リンク部材の開放先端部を重ねて挿通可能な第１横孔及び第２横孔と、掻き板の外面側から第１、第２横孔を貫通して延びる１つの縦孔が形成され、前記第１リンク部材の開放先端部を第１，第２横孔に挿入し、掻き板の反対側から第２リンク部材の開放先端部を第１，第２横孔に第１リンク部材の開放先端部と重ね合わせた状態で挿入自在とし、しかも、前記掻き板の縦孔内にピンを前記第１、第２リンク部材のピン孔を経て縦挿させることにより、前記各リンク部材と掻き板を結合可能としたことを特徴とする。
【００１２】
本発明の掻き板付きリンクチェーンは、所定長さのチェーンに分割されているので、前記リンクチェーンを熱処理（焼入れ，焼戻し処理）するときには、短くて軽量の分割チェーンを熱処理すればよいので、熱処理するときの取り扱い作業性が良好となる。また、製鋼所の側溝などに配置される搬出コンベアにセットするときには、分割チェーンに掻き板を結合しながら順次搬出コンベアにセットしていくことにより、搬出コンベアへのセット作業を簡単に行え、また搬出コンベアからのリセット作業も簡単に行える。さらに、前記掻き板が使用に伴い摩耗した場合は、この掻き板の縦孔に挿通したピンを外部に抜き出して、各チェーンに係止された各リンク部材を前記掻き板の各横孔から外部に取り出すことにより、この掻き板が各チェーンから簡単に取外され、また、逆の順序で新しい掻き板を簡単に各チェーンに組付けられる。このため、前記掻き板が摩耗したとき、この掻き板だけを交換することにより、ランニングコストの低減化が可能となり、また資源無駄が少なくなる。
【００１３】
しかも、本発明のリンクチェーンのジョイントは使用時に大きな引張荷重が繰り返し作用しても、この引張荷重は、前記掻き板の縦孔に挿通されたピンや掻き板によって受け止められるので、長期使用によっても破損したりすることなく、長寿命化が可能となる。また、従来のように溶接手段によることなく、機械的に前記掻き板と分割チェーンが結合されるので、その結合部分に強度低下を生じない。さらに、前記リンクチェーンの使用時に弛みが発生した場合には、分割チェーンの１つないしは複数本を取外すことにより、弛みの調整も容易に行える。
【００１４】
前記掻き板における縦孔の外端側には、これに挿入するピンの脱落を阻止する止めねじを設けることが好ましい。このようにすれば、リンクチェーンの使用時に大きな引張荷重が繰り返し作用しても、前記ピンの掻き板からの脱落が前記止めねじにより阻止され、この掻き板の分割チェーンへの結合を確実に行える。
また、前記掻き板に設ける第１，第２横孔は側面視概略矩形状に形成し、前記第１，第２リンク部材の開放先端部は平面視概略矩形状に形成することが好ましい。このようにすれば、前記掻き板を各分割チェーン間に組付けるとき、これに設けた各リンク部材の開放先端部を掻き板の各横孔に挿入するときの作業が行い易くなり、また、前記掻き板の縦孔から各リンク部材のピン孔を経てピンを縦挿させるときの作業も行い易くなる。
【００１５】
【発明の実施の形態】
以下、本発明の一実施形態を図面に基づいて説明する。
図１は、本発明にかかる掻き板付きリンクチェーンの使用例として、製鋼所の側溝１０に配置される滞積物の搬出コンベア１を示している。図２は、同コンベア１のリンクチェーン部分の一部を拡大して示している。前記搬出コンベア１は、駆動体１１と従動体１２及びこれらの周囲に無端状に掛回される掻き板付きリンクチェーン２からなり、この掻き板付きリンクチェーン２を矢印ｃ方向に回行させることにより、側溝１０内に溜った汚泥などの滞積物Ｔをリンクチェーン２に備えた掻き板３で掻き寄せながら外部に搬出する。
【００１６】
図３〜図５は掻き板付きリンクチェーン２のジョイントを示すもので、図３は掻き板３の結合部分を示す分解斜視図、図４は掻き板３の結合状態を示す縦断面図、図５は同じく掻き板３の結合状態を示す平面図である。前記リンクチェーン２は、所定長さの複数のチェーン４に分割されていて、分割された一方のチェーン４の端部にＵ字形の第１リンク部材５１を、他方のチェーン４の端部にはＵ字形の第２リンク部材５２をそれぞれ係止している。これら第１，第２リンク部材５１，５２の開放先端部は、それぞれ平面視概略矩形の偏平状に形成され、この各偏平矩形部５０には同一径のピン孔５３が対向状に形成されている。
【００１７】
第１リンク部材５１と第２リンク部材５２とは、同一形状に作成されたものを使用するのが好ましく、図示の例では、それぞれのリンク部材５１、５２において一方の偏平矩形部５０ａは外側へ他方の偏平矩形部５０ｂは内側へ偏心した位置に形成し、第１リンク部材５１に対して第２リンク部材５２を上下逆にして向き合わせるように反対側から横孔に挿入し、第１リンク部材５１の偏平矩形部５０ａに第２リンク部材５２の偏平矩形部５０ｂを重ね合わせ、かつ、第１リンク部材５１の偏平矩形部５０ｂに第２リンク部材５２の偏平矩形部５０ａを重ね合わせると、このとき第１リンク部材５１に連結されるリンク４の中心と第２リンク部材５２に連結されるリンク４の中心とが、掻き板と直交する線上に位置するようにしている。
【００１８】
前記掻き板３は円盤状とされ、この掻き板３の中心部を中心とした上下位置には、図３のように、前記各リンク部材５１，５２の偏平矩形部５０を挿通可能な２つの第１及び第２横孔３１，３２が形成されており、また、掻き板３には、径方向外端面から前記各横孔３１，３２と直交して貫通するように径方向に延びる１つの縦孔３３が形成されている。
【００１９】
そして、図４のように、前記第１，第２横孔３１，３２に第１リンク部材５１の各偏平矩形部５０を挿入し、また、第２リンク部材５２の各偏平矩形部５０を第１，第２横孔３１，３２に、前記第１リンク部材５１の各偏平矩形部５０と重ね合わせた状態で挿入し、さらに、前記掻き板３の縦孔３３にピン６を前記各リンク部材５１，５２のピン孔５３を経て縦挿させることにより、前記各リンク部材５１，５２と掻き板３を結合させる。このとき、前記掻き板３に設ける第１，第２横孔３１，３２は側面視概略矩形状に形成する。このようにすれば、前記掻き板３を各チェーン４の間に結合する際、これに設けた各リンク部材５１，５２の前記偏平矩形部５０を掻き板３の各横孔３１，３２に挿入するときの作業が行い易くなる。また、前記各リンク部材５１，５２の開放先端部に偏平矩形部５０が形成され、これにピン孔５３が設けられているので、前記掻き板３の縦孔３３からピン孔５３を経てピン６を縦挿させるときの作業も行い易くなる。
【００２０】
また、図４及び図５のように、前記掻き板３における縦孔３３の径方向外端側にはねじ部３４を形成し、このねじ部３４に前記縦孔３３に挿入するピン６の脱落を阻止するための止めねじ３５を脱着可能に設ける。このようにすれば、前記リンクチェーン２の使用時に大きな引張荷重が繰り返し作用しても、前記ピン６の掻き板３からの脱落が前記止めねじ３５により確実に阻止され、この掻き板３の前記分割チェーン４への結合が確実に行える。また、前記掻き板３を交換するようなときは、前記止めねじ３５を取外してピン６を縦孔３３から外部に抜き出し、前記各リンク部材５１，５２を取外すことにより、前記掻き板３を分割チェーン４から簡単に取外せる。
【００２１】
次に、以上の掻き板付きリンクチェーンのジョイントを取り扱うときの手順について説明する。先ず、前記リンクチェーン２には、その強度を強化するために予め熱処理（焼入れ，焼戻し処理）が行われる。このとき、前記リンクチェーン２は、所定長さ（通常、２〜４ｍ程度）の複数のチェーン４に分割されていて、この短くて比較的軽い（数ｋｇ〜数１０ｋｇ程度）分割チェーン４を熱処理すれば良いので、熱処理時の取り扱い作業性が良好となる。また、製鋼所の側溝１０に配置される搬出コンベア１にセットするときも、分割チェーン４に掻き板３を結合しながら順次搬出コンベア１にセットしていくことができ、搬出コンベア１へのセット作業が簡単に行え、また搬出コンベア１からのリセット作業も簡単に行える。
【００２２】
そして、前記リンクチェーンのジョイントの使用に伴い掻き板３が摩耗した場合は、これに設けた縦孔３３のねじ部３４から止めねじ３５を取外し、前記縦孔３４に挿通されたピン６を外部に抜き出して、前記各分割チェーン４に係止された第１，第２リンク部材５１，５２を前記掻き板３の第１，第２横孔３１，３２から外部に取り出すことにより、この掻き板３が各分割チェーン４から簡単に取外される。また、逆の順序で新しい掻き板３を簡単に各分割チェーン４に組付けられる。このため、前記掻き板３が摩耗したとき、この掻き板３だけを交換することにより、ランニングコストの低減化が可能となって、資源無駄が少なくなる。
【００２３】
また、前記リンクチェーン２の使用時に大きな引張荷重が繰り返し作用しても、この引張荷重は、前記掻き板３の縦孔３３に挿通されたピン６や掻き板３によって受け止められるので、長期使用によっても破損したりすることなく、長寿命化が可能となる。その上、従来のように溶接手段によることなく、機械的に前記掻き板３と分割チェーン４を結合しているので、その結合部分に強度低下を発生させることはない。しかも、前記リンクチェーン２の使用時に弛みが発生した場合は、分割チェーン４の１つないしは複数本を取外すことにより、弛みの調整も容易に行える。
【００２４】
【発明の効果】
以上のように、本発明の掻き板付きリンクチェーン及びそのジョイントは、掻き板が摩耗したとき、この掻き板だけを交換することにより、資源無駄を少なくしてランニングコストを下げることができ、また、チェーンを熱処理（焼入れ，焼戻し処理）するときや搬出コンベアにセットしたりリセットするときの取り扱い作業性を良好にでき、しかも、大きな引張荷重が繰り返し作用しても、長期使用に耐えることができる。
【図面の簡単な説明】
【図１】本発明にかかる掻き板付きリンクチェーンの使用例として、製鋼所の側溝に配置される滞積物の搬出コンベアを示す側面図である。
【図２】同コンベアのリンクチェーン部分の一部を拡大して示す側面図である。
【図３】掻き板付きリンクチェーンのジョイントにおける掻き板の結合部分を示す分解斜視図である。
【図４】掻き板の結合状態を示す縦断面図である。
【図５】同じく掻き板の結合状態を示す平面図である。
【図６】従来の掻き板付きリンクチェーンを示す分解斜視図である。
【図７】その掻き板の結合状態を示す縦断面図である。
【図８】本発明に至る過程を説明する掻き板付きリンクチェーンの分解斜視図である。
【図９】その掻き板の結合状態を示す縦断面図である。
【符号の説明】
３    掻き板
３１  第１横孔
３２  第２横孔
３３  縦孔
３５  止めねじ
４    分割されたチェーン
５１  第１リンク部材
５２  第２リンク部材
５３  ピン孔
６    ピン
【図１】
0004769364.tif 000002
【図２】
0004769364.tif 000003
【図３】
0004769364.tif 000004
【図４】
0004769364.tif 000005
【図５】
0004769364.tif 000006
【図６】
0004769364.tif 000007
【図７】
0004769364.tif 000008
【図８】
0004769364.tif 000009
【図９】
0004769364.tif 000010